(57)【要約】【課題】電源を自動的に遮断する目的を達成するように、加熱された抵抗を駆動する切り換え回路を用いて、電力を自動的に遮断することができるサージ・プロテクタの保護装置を提供する。【解決手段】一端が第１の電力入力端子に接続され、他端が第１の電力出力端子に接続された第１のヒューズと、一端が第１のヒューズの出力端に接続された抵抗と、第１の端部、第２の端部、および感知端部をさらに含み、第１の端部が抵抗に接続され、第２の端部が第２の電力入力端子に接続された切り換え回路と、一端が第１の電力出力端子に接続され、他端が感知端部に接続された第２のヒューズと、一端が感知端部と第２のヒューズに接続され、他端が第２の電力出力端子に接続されたサージ・プロテクタとを含み、感知端部が低電位を感知した場合、電源を遮断するように、切り換え回路がオンになり抵抗を加熱することができ、次いで熱感知によって第１のヒューズを開放すること。【選択図】図１
0003119459.tif 000002
【実用新案登録請求の範囲】
【請求項１】
一端が第１の電力入力端子に接続され、他端が第１の電力出力端子に接続された第１のヒューズと、
一端が前記第１のヒューズの出力端子に接続された抵抗と、
第１の端部、第２の端部、および感知端部をさらに含み、前記第１の端部が前記抵抗に接続され、前記第２の端部が第２の電力入力端子に接続された切り換え回路と、
一端が前記第１の電力出力端子に接続され、他端が前記感知端部に接続された第２のヒューズと、
一端が前記感知端部と前記第２のヒューズに接続され、他端が第２の電力出力端子に接続されたサージ・プロテクタとを含み、
それにより、前記感知端部が低電位を感知した場合、電源を遮断するように、前記切り換え回路がオンになり前記抵抗を加熱することができ、次いで熱感知により前記第１のヒューズを開放することを特徴とするサージ・プロテクタの保護装置。
【請求項２】
前記第１のヒューズは温度ヒューズであり、前記第２のヒューズは温度ヒューズまたは電流ヒューズであることを特徴とする請求項１に記載のサージ・プロテクタの保護装置。
【請求項３】
前記切り換え回路はトランジスタ回路であることを特徴とする請求項１に記載のサージ・プロテクタの保護装置。
【請求項４】
前記第１の電力入力端子はライン入力端子であり、前記第２の電力入力端子は中性入力端子であり、かつ前記第１の電力出力端子はライン出力端子であり、前記第２の電力出力端子は中性出力端子であることを特徴とする請求項１に記載のサージ・プロテクタの保護装置。
【請求項５】
前記サージ・プロテクタが、サージの生成を防止するように、金属酸化物バリスタまたは他の過渡電流／サージ・プロテクタであることを特徴とする請求項１に記載のサージ・プロテクタの保護装置。
【請求項６】
前記抵抗が、前記第１のヒューズ近傍の温度を感知するように、前記第１のヒューズ近傍に配置されていることを特徴とする請求項１に記載のサージ・プロテクタの保護装置。
【考案の詳細な説明】
【技術分野】
【０００１】
本考案は、サージ・プロテクタの保護装置に関し、特に、サージ・プロテクタが動作しなかった場合に、電源を自動的に遮断する目的を達成するように、加熱された抵抗を駆動する切り換え回路を用いて電力を自動的に遮断することができるサージ・プロテクタの保護装置に関する。
【背景技術】
【０００２】
一般的に、サージ・プロテクタを備える従来技術の電源コンセント（ｐｏｗｅｒ  ｏｕｔｌｅｔ）は、サージが生成されるのを阻止するために、金属酸化物バリスタ（ＭＯＶ）または他の過渡電流（ｔｒａｎｓｉｅｎｔ）／サージ・プロテクタを、通常使用していた。しかしながら、この金属酸化物バリスタ（ＭＯＶ）または過渡電流／サージ・プロテクタは、サージから熱を吸収することよって加熱され、大きなサージを吸収しそれ以上は耐えられなくなった場合には短絡現象を起こすこととなった。したがって従来技術のサージ・プロテクタは、異常な状況が生成されるのを避けるために、温度ヒューズまたは電流ヒューズを使用していた。
【０００３】
しかしながら、サージ・プロテクタは長期間サージを吸収し古くなって故障すると、その保護機能を失うこととなった。一般的なサージ・プロテクタは、サージ・プロテクタがその機能を失ったことをユーザに知らせるために、インジケータまたはブザーを通常使用していた。しかし、サージ・プロテクタがその機能を失っても使用され続けている場合には、サージ・プロテクタを備える電源コンセントにさし込まれた電気装置は、潜在的な危険性にさらされることとなった。
【０００４】
現状では、電源を自動的に遮断する目的を達成するために、殆どのサージ・プロテクタが加熱されて温度ヒューズを燃やす。しかしながら、サージ・プロテクタが大きな電流サージに耐え続けて電源を遮断できなくなると、そのような構成のサージ・プロテクタは、その後端の（複数の）装置が損傷するのを防止する目的を有効に達成することができない。
【考案の開示】
【考案が解決しようとする課題】
【０００５】
したがって、これらの欠点を解決するサージ・プロテクタの保護装置の、新規で改善された戦略と技術の必要性があり、本考案はこれらの欠点を新規かつ斬新な方法で解決することである。
【０００６】
また、サージ・プロテクタが動作しなかった場合に、電源を自動的に遮断する目的を達成するように、加熱された抵抗を駆動する切り換え回路を用いて、電力を自動的に遮断することができるサージ・プロテクタの保護装置を提供することである。
【０００７】
さらに、サージ・プロテクタが種々の劣悪条件下に異常にある場合に、その後端の（複数の）装置の保護の目的を達成するように、効果的かつ自動的にサージ・プロテクタの電力を遮断することができるサージ・プロテクタの保護装置を提供することである。
【課題を解決するための手段】
【０００８】
上記の目的を達成するために、本考案のサージ・プロテクタの保護装置は、一端が第１の電力入力端子に接続され、他端が第１の電力出力端子に接続された第１のヒューズと、一端が第１のヒューズの出力端に接続された抵抗と、第１の端部、第２の端部、および感知端部をさらに含み、第１の端部が抵抗に接続され、第２の端部が第２の電力入力端子に接続された切り換え回路と、一端が第１の電力出力端子に接続され、他端が感知端部に接続された第２のヒューズと、一端が感知端部と第２のヒューズに接続され、他端が第２の電力出力端子に接続されたサージ・プロテクタとを含み、それにより、感知端部が低電位を感知した場合、電源を遮断するように、切り換え回路がオンになり抵抗を加熱することができ、次いで熱感知によって第１のヒューズを開放することからなる。
又、第１のヒューズは温度ヒューズであり、前記第２のヒューズは温度ヒューズまたは電流ヒューズであることが好適である。
又、切り換え回路はトランジスタ回路であることが好適である。
又、第１の電力入力端子はライン入力端子であり、前記第２の電力入力端子は中性入力端子であり、かつ前記第１の電力出力端子はライン出力端子であり、前記第２の電力出力端子は中性出力端子であることが好適である。
又、前記サージ・プロテクタが、サージの生成を防止するように、金属酸化物バリスタまたは他の過渡電流／サージ・プロテクタであることが好適である。
又、前記抵抗が、前記第１のヒューズ近傍の温度を感知するように、前記第１のヒューズ近傍に配置されていることが好適である。
【考案を実施するための最良の形態】
【０００９】
本考案は、以下の説明および添付の図面を参照することにより、より完全に理解することができる。
【００１０】
図１を参照すると、本考案の一実施形態によるサージ・プロテクタの保護装置の透視図が示されている。図に示されるように、本考案のサージ・プロテクタの保護装置は、第１のヒューズ１０、抵抗１５、切り換え回路２０、第２のヒューズ３０、およびサージ・プロテクタ４０を主に含む。
【００１１】
ここで第１のヒューズ１０は、好ましくは（複数の）ワイヤ近くの温度を感知するための温度ヒューズであり、第１のヒューズ１０の一端は第１の電力入力端子５１に接続され、第１のヒューズ１０の他端は第１の電力出力端子６１に接続されており、第１の電力入力端子５１はライン入力端子（Ｌｉｎ）であり、第１の電力出力端子６１はライン出力端子（Ｌｏｕｔ）である。
【００１２】
ここで、抵抗１５の一端は第１のヒューズ１０の出力端子に接続され、第１のヒューズ１０近傍の温度を感知できるように、これに限定されることはないが例えば第１のヒューズ１０と一体に形成されるように、第１のヒューズ１０の近傍に好ましくは配置される。
【００１３】
切り換え回路２０は、これに限定されることはないが例えばトランジスタ回路であり、第１の端部２１、第２の端部２２、感知端部２３をさらに含み、第１の端部２１は抵抗１５に接続され、第２の端部２２は第２の電力入力端子５２（Ｎｉｎ）に接続され、感知端部２３は第２のヒューズ３０および「ａ」点（図１を参照されたい）の電位レベルを感知するサージ・プロテクタ４０に接続されている。切り換え回路２０は「ａ」点の電位レベルが高い場合には開放状態になり、また切り換え回路２０は「ａ」点の電位レベルが低い場合には短絡状態になる。
【００１４】
ここで、第２のヒューズ３０の一端は第１の電力出力端子６１に接続され、第２のヒューズ３０の他端は感知端部２３に接続されている。ここで、第２のヒューズ３０は温度ヒューズまたは電流ヒューズであり、第２の電力出力端子６２は中性出力端子（Ｎｏｕｔ）である。
【００１５】
ここで、サージ・プロテクタ４０の一端は感知端部２３および第２のヒューズ３０に接続され、サージ・プロテクタ４０の他端は第２の電力出力端子６２に接続され、サージ・プロテクタ４０は、サージが生成されるのを防止するように、これに限定されることはないが、例えば金属酸化物バリスタ（ＭＯＶ）または他の過渡電流／サージ・プロテクタである。
【００１６】
本考案のサージ・プロテクタの保護装置が完全に組み立てられると、まず、「ａ」点の電位レベルはサージ・プロテクタ４０が通常に動作するとハイにとどまり、切り換え回路２０が開放状態になり、そのため抵抗１５には電流が流れず、したがって抵抗１５の温度はローにとどまり、第１のヒューズ１０も同様に通常状態にとどまるので、したがって入力電力を電力出力端子６１、６２に通常通り提供することができる。
【００１７】
例えば異常に加熱されるまたは過剰な電流がそれを流れて、サージ・プロテクタ４０が異常になると、「ａ」点の電位レベルはローになり、第２のヒューズ３０は過熱または過剰な電流のせいで作動され、「ａ」点の電位レベルがローになり、切り換え回路２０は短絡状態になって、電流が抵抗１５を流れ、抵抗１５を加熱し、さらにまた第１のヒューズ１０が作動されて（即ち開放状態になり）、したがって入力電力が遮断され、電力出力端子６１、６２に供給されることができない。
【００１８】
したがってサージ・プロテクタ４０が（異常な加熱または高負荷電流の通過などの）種々の劣悪条件下に異常にある場合には、本考案のサージ・プロテクタの保護装置は、その後端の（複数の）装置の保護の目的を達成するように、効果的かつ自動的に電力を遮断することができ、それにより本考案のサージ・プロテクタの保護装置は従来技術のサージ・プロテクタの欠点を解決することができる。
【００１９】
以上の記述によれば、サージ・プロテクタ４０が種々の劣悪条件下に異常にある場合には、本考案のサージ・プロテクタの保護装置は、その後端の（複数の）装置の保護の目的を達成するように、効果的かつ自動的に電力を遮断することができ、したがって本考案のサージ・プロテクタの保護装置は従来技術のサージ・プロテクタの欠点を解決することができる。
【００２０】
本考案の特定の実施形態を例示の目的で詳細に説明してきたが、本考案の精神および範囲から逸脱することなく、種々の修正と改善（ｅｎｈａｎｃｅｍｅｎｔ）を行うことができる。したがって、本考案は添付された請求項による以外には、限定されることはない。
【図面の簡単な説明】
【００２１】
【図１】本考案の一実施形態による、サージ・プロテクタの保護装置の透視図である。
【符号の説明】
【００２２】
１０  第１のヒューズ
１５  抵抗
２０  切り換え回路
２１  第１の端部
２２  第２の端部
２３  感知端部
３０  第２のヒューズ
４０  サージ・プロテクタ
５１  第１の電力入力端子
５２  第２の電力入力端子
６１  第１の電力出力端子
６２  第２の電力出力端子
【図１】
0003119459.tif 000003